(57)【特許請求の範囲】
【請求項１】
先端部が互いに係合して環状に所要の張力で締め付ける上半固定帯部と、同じく先端部が互いに係合して環状に所要の張力で締め付ける下半固定帯部とは内側または外側に所要幅互いに上下に重合すると共に、重合部の中央部を縫着の固定手段により接続し、かつその上半固定帯部と下半固定帯部の中央部に芯金を縦方向に挿入配置し、下半固定帯部の中央部の外面の右側または左側もしくはその両方側において、前記中央部と右側縁または左側縁との中間に基端を縫着して横方向に伸張する補助張力バンドと、前記中央部に基端を縫着して横方向に伸張する補助張力バンドを上下に配備し、各先端内面に設けた係止ファスナーにより係止して所要の締め付け力を付加可能に設けてなる、右または左股関節固定帯もしくは大腿骨部固定帯。
【請求項２】
先端部が互いに係合して環状に所要の張力で締め付ける上半固定帯部と、かつ同じく先端部が互いに係合して環状に所要の張力で締め付ける下半固定帯部とは内側または外側に所要幅互いに上下に重合すると共に、重合部の中央部を縫着の固定手段により接続し、その上半固定帯部と下半固定帯部の中央部に芯金を縦方向に挿入配置し、下半固定帯部の中央部の外面の右側または左側もしくはその両方側において、前記中央部と右側縁または左側縁との中間に基端を縫着して横方向に伸張する短手補助張力バンドと、前記中央部に基端を縫着して横方向に伸張する長手補助張力バンドを上下に配備し、各先端内面に設けた係止ファスナーにより係止して所要の締め付け力を付加可能に設けてなる、右または左股関節固定帯もしくは大腿骨部固定帯。
【請求項３】
前記短手補助張力バンドは、下半固定帯部の中央部の外面の右側または左側もしくはその両方側において、前記中央部と右側縁または左側縁との中間に上下に保形テープを縫着すると共に、その保形テープに基端を縫着して横方向に伸張可能に配備したことを特徴とする、請求項２の右または左股関節固定帯もしくは大腿骨部固定帯。
【請求項４】
前記長手補助張力バンドは、下半固定帯部の中央部の外面の右側または左側もしくはその両方側において、前記中央部の袋部を形成する保形テープの内側に基端を縫着して同じく横方向に伸張可能に配備し、各先端内面に設けた係止ファスナーにより締め付け力を増加可能に設けてなる、請求項２の右または左股関節固定帯もしくは大腿骨部固定帯。
【発明の詳細な説明】
【０００１】
【発明が属する技術分野】
この発明は、右または左股関節を個別に、またはその両方を同時に、もしくは大腿骨部を固定する固定帯に関する。
【０００２】
【発明が解決しようとする課題】
この発明は、構造が簡単で、ずり上がり及びずり下がりが無く、しっかりと固定できる右または左股関節を個別、またはその両方を同時にもしくは大腿骨部を固定する固定帯の提供を目的になされたものである。
【０００３】
【課題を解決するための手段】
先端部が互いに係合して環状に所要の張力で締め付ける上半固定帯部と、同じく先端部が互いに係合して環状に所要の張力で締め付ける下半固定帯部とは内側または外側に所要幅互いに上下に重合すると共に、重合部の中央部を縫着の固定手段により接続し、かつその上半固定帯部と下半固定帯部の中央部に芯金を縦方向に挿入配置し、下半固定帯部の中央部の外面の右側または左側もしくはその両方側において、前記中央部と右側縁または左側縁との中間に基端を縫着して横方向に伸張する補助張力バンドと、前記中央部に基端を縫着して横方向に伸張する補助張力バンドを上下に配備し、各先端内面に設けた係止ファスナーにより係止して所要の締め付け力を付加可能に設けてなる、右または左股関節固定帯もしくは大腿骨部固定帯にある。
【０００４】
先端部が互いに係合して環状に所要の張力で締め付ける上半固定帯部と、かつ同じく先端部が互いに係合して環状に所要の張力で締め付ける下半固定帯部とは内側または外側に所要幅互いに上下に重合すると共に、重合部の中央部を縫着の固定手段により接続し、その上半固定帯部と下半固定帯部の中央部に芯金を縦方向に挿入配置し、下半固定帯部の中央部の外面の右側または左側もしくはその両方側において、前記中央部と右側縁または左側縁との中間に基端を縫着して横方向に伸張する短手補助張力バンドと、前記中央部に基端を縫着して横方向に伸張する長手補助張力バンドを上下に配備し、各先端内面に設けた係止ファスナーにより係止して所要の締め付け力を付加可能に設けてなる、右または左股関節固定帯もしくは大腿骨部固定帯としてもよいものである。
【０００５】
前記短手補助張力バンドは、下半固定帯部の中央部の外面の右側または左側もしくはその両方側において、前記中央部と右側縁または左側縁との中間に上下に保形テープを縫着すると共に、その保形テープに基端を縫着して横方向に伸張可能に配備してもよいものである。
【０００６】
前記長手補助張力バンドは、下半固定帯部の中央部の外面の右側または左側もしくはその両方側において、前記中央部の袋部を形成する保形テープの内側に基端を縫着して同じく横方向に伸張可能に配備し、各先端内面に設けた係止ファスナーにより締め付け力を増加可能に設けてもよいものである。
【０００７】
【発明の実施の形態】
先端部が互いに係合して環状に所要の張力で締め付ける上半固定帯部と下半固定帯部とから設け、その上半固定帯部と下半固定帯部とは内側または外側に所要幅互いに上下に重合すると共に、重合部の中央部を縫着により接続し、その上半固定帯部と下半固定帯部の中央部に袋部を連通し、その袋部に所要幅と厚みの芯金を縦方向に挿入配置し、左右に位置ずれをしないにように保形連結をすると共に、下半固定帯部の中央部の外面の右側において、前記中央部と右側縁との中間に上下に保形テープを縫着すると共に、その保形テープに基端を縫着して横方向に伸張可能な短手補助張力バンドと、下半固定帯部の中央部の外面の右側において、前記中央部の袋部を形成する保形テープの内側に基端を縫着して同じく横方向に伸張可能な長手補助張力バンドを上下に配備し、各先端内面に設けた係止ファスナーにより係止して所要の締め付け力を付加可能に設けてなる、右股関節固定帯。
【０００８】
【実施例】
以下、この発明の右または左股関節固定帯もしくは大腿骨部固定帯を、実施例である図１〜図７に示す右股関節固定帯１について説明すると、先ず図１及び図２に示すように、右股関節固定帯１は、上半固定帯部２と下半固定帯部３とから設け、その両者は、上半固定帯部２を下半固定帯部３の内側に配して所要幅互いに重合させると共に、該重合部の中央部を縫着の固定手段４により接続し、かつ、その上半固定帯部２と下半固定帯部３の中央部の外面に袋部５を設け、その袋部５に上方の開口５ａから所要幅と厚みの芯金６を縦方向に挿入配置し、上半固定帯部２と下半固定帯部３が左右に位置ずれをしないように保形連結してなるものである。
【０００９】
前記上半固定帯部２は、図３の（Ａ）で示す上半主張力固定バンド部２ａと、図３の（Ｂ）で示す上半左前部連結バンド部２ｂと、図３の（Ｃ）で示す上半右前部連結バンド部２ｃの分割部材から構成し、その上半主張力固定バンド部２ａは、張力を受けて伸張し、復帰力を持続するゴム紐部２ａ１と、そのゴム紐部２ａ１の伸張に追従して左右の横方向には伸縮ができるが、上下の縦方向には伸張しない縦糸帯部２ａ２とが所要の幅で交互に配置された通気性のある伸縮シート地を裁断して設けている。その上半左前部連結バンド部２ｂ及び上半右前部連結バンド部２ｃは、張力を受けても使用上ほとんど伸張しない編成シートを裁断して用い、その一面に係合起毛布２ｂ１及び２ｃ１を装着し、上半左前部連結バンド部２ｂの先端部外面に係止ファスナー７を装備し、上半左前部連結バンド部２ｂ及び上半右前部連結バンド部２ｃの接続縁を除く周縁に保護テープ８を被着している。上半主張力固定バンド部２ａと上半左前部連結バンド部２ｂ及び上半右前部連結バンド部２ｃの各接続縁は所要幅重合すると共に縫着した後、表面を保護テープ９により表装している。
【００１０】
前記下半固定帯部３は、図４の（Ａ）で示す下半主張力立体固定バンド部３ａと、図４の（Ｂ）で示す下半左前部連結バンド部３ｂと、図４の（Ｃ）で示す下半右前部連結バンド部３ｃの分割部材から同じく構成し、その下半主張力立体固定バンド部３ａは、張力を受けて伸張し、復帰力を持続するゴム紐部３ａ１と、そのゴム紐部３ａ１の伸張に追従して左右の横方向には伸縮ができるが、上下の縦方向には伸縮できない縦糸帯部３ａ２とが所要の幅で交互に配置された方形伸縮シート地を、突合わせ縁１０ａ、１０ｂを斜辺とした２分割構成片３ａ３、３ａ４に裁断して設けている。その下半左前部連結バンド部３ｂ及び下半右前部連結バンド部３ｃは、前記上半左前部連結バンド部２ｂ及び上半右前部連結バンド部２ｃと同様に、張力を受けても使用上ほとんど伸張しない編成シートを裁断して用い、その一面に係合起毛布３ｂ１および３ｃ１を装着し、下半左前部連結バンド部３ｂの先端外面に係止ファスナー７を装備している。下半左前部連結バンド部３ｂ及び下半右前部連結バンド部３ｃの外縁に保護テープ８を被着している。そして、下半主張力立体固定バンド部３ａの２分割構成片３ａ３、３ａ４は先ずその突合わせ縁１０ａ、１０ｂを重合すると共に縫着して接続し、その下半主張力立体固定バンド部３ａ、前記下半左前部連結バンド部３ｂおよび下半右前部連結バンド部３ｃの各接続縁は所要幅重合すると共に縫着した後、表面を保護テープ９により表装している。
【００１１】
前記袋部５は、上半主張力固定バンド部２ａおよび下半主張力立体固定バンド部３ａの中央部の外面に中心保形テープ１１ａを縫着して構成する。そして下半主張力立体固定バンド部３ａの中央部の内面の突合わせ縁１０ａ、１０ｂの重合縫着部を、上半主張力固定バンド部２ａとの重合部を除き、保護テープ９により表装している。
【００１２】
前記下半主張力立体固定バンド部３ａの中央部の外面の右側において、前記中央部と右側縁との中間に上下に中間保形テープ１１ｂを縫着すると共に、その上半側に基端を縫着して横方向に伸張する短手補助張力バンド１２を配備し、その先端内面に設けた係止ファスナー１３により下半右前部連結バンド部３ｃの係合起毛布３ｃ１に係止自在に設けている。またその下半側には、前記中心保形テープ１１ａの内側に基端を縫着して同じく横方向に伸張する長手補助張力バンド１４を配備し、その先端内面に設けた係止ファスナー１５により下半右前部連結バンド部３ｃの係合起毛布３ｃ１に係止自在に設けている。
【００１３】
前記説明では、補助バンドとして、短手補助張力バンド１２と長手補助張力バンド１４を説明したが、その長さについては、限定されないものである。またその段数についても２段に限定するものではなく、また基端の取付位置も、中心位置と、中間位置があり、その中間位置についても、その１／２というように限定されないものである。そして、夫々の先端内面に設けた係止ファスナー１３により下半右前部連結バンド部３ｃの係合起毛布３ｃ１に係止自在に設けている。またその下半側には、中心の袋部５を形成する中心保形テープ１１ａの内側に基端を縫着して横方向に伸張することがないように設けている。
【００１４】
この発明の実施例である右股関節固定帯１は、以上のように、構成されるものであるから、先ず、下半主張力立体固定バンド部３ａを伸張させて身体の股関節に対応して巻き付け、身体の前面側で下半左前部連結バンド部３ｂおよび下半右前部連結バンド部３ｃの各先端部を重合すると共に、係止ファスナー７に係合して締め付ける。それから上方の上半固定帯部２を、同じく、上半左前部連結バンド部２ｂ及び上半右前部連結バンド部２ｃを係止ファスナー７により係合して締め付けて使用するものである。そして下半固定帯部３における短手補助張力バンド１２および長手補助張力バンド１４を適宜伸張させて下半右前部連結バンド部３ｃの外面に係止し、一方の側部を加算して締め付けることができるものである。よって、上半部と下半部では、角度を変えて立体的に締め付け右股関節を強く締め付けて固定できるものである。
【００１５】
次に、図示しないが、短手補助張力バンド１２および長手補助張力バンド１４を、前記右股関節固定帯１とは対称的に左側に配備したときには、左股関節固定帯を構成することができる。
【００１６】
その短手補助張力バンド１２および長手補助張力バンド１４を左右両方に配備したときには、図８に示す実施例のように、大腿骨部固定帯１６となる。
【００１７】
【発明の効果】
この発明は、以上のようになるから、構造が簡単で、ずり上がりおよびずり下がりが無く、症状及び体型などの諸条件を考慮して調整し、右または左股関節を個別、またはその両方もしくは大腿骨部をしっかりと固定できるものである。
【図面の簡単な説明】
【図１】  この発明の実施例の右股関節固定帯の展開外面図である。
【図２】  同じく、この発明の実施例の右股関節固定帯の展開内面図である。
【図３】  同じく、この発明の実施例の右股関節固定帯における上半固定帯部の構成部片を示す分割展開平面図である。
【図４】  同じく、この発明の実施例の右股関節固定帯における下半固定帯部の構成部片を示す分割展開平面図である。
【図５】  同じく、この発明の実施例の右股関節固定帯における上半固定帯部および下半固定帯部の中心を上下に貫通保形する芯金板の一部拡大斜視図である。
【図６】  同じく、この発明の実施例の右股関節固定帯における下半固定帯部の右側上部に配置される短手張力補助バンドの係止ファスナー装着側の平面図である。
【図７】  同じく、この発明の実施例の右股関節固定帯における下半固定帯部の右側下部に配置される長手張力補助バンドの係止ファスナー装着側の平面図である。
【図８】  短手張力補助バンドおよび長手張力補助バンドを下半固定帯部の中心より両側に配置して構成する、この発明の実施例の大腿骨部固定バンドの展開外面図である。
【符号の説明】
１  右股関節固定帯
２  上半固定帯部
２ａ  上半主張力固定バンド部
２ａ１  ゴム紐部
２ａ２  縦糸帯部
２ｂ  上半左前部連結バンド部
２ｂ１  係合起毛布
２ｃ  上半右前部連結バンド部
２ｃ１  係合起毛布
３  下半固定帯部
３ａ  下半主張力立体固定バンド部
３ａ１  ゴム紐部
３ａ２  縦糸帯部
３ａ３  ２分割構成片
３ａ４  ２分割構成片
３ｂ  下半左前部連結バンド部
３ｂ１  係合起毛布
３ｃ  下半右前部連結バンド部
３ｃ１  係合起毛布
４  固定手段
５  袋部
５ａ  開口
６  芯金
７  係止ファスナー
８  保護テープ
９  接続テープ
１０ａ  突合わせ縁
１０ｂ  突合わせ縁
１１ａ  中心保形テープ
１１ｂ  中間保形テープ
１２  短手補助張力バンド
１３  係止ファスナー
１４  長手補助張力バンド
１５  係止ファスナー
１６  大腿骨部固定帯
【図１】
0004281077.tif 000002
【図２】
0004281077.tif 000003
【図３】
0004281077.tif 000004
【図４】
0004281077.tif 000005
【図５】
0004281077.tif 000006
【図６】
0004281077.tif 000007
【図７】
0004281077.tif 000008
【図８】
0004281077.tif 000009